(57)【特許請求の範囲】
【請求項１】
数取カムとクシバとの係合状態により数取カマがクシバにおける所定のラック歯と噛合して数打ち時報動作が行われる時計装置において、
当該時計装置は、前記時報動作を停止する停止手段と、所定の時間帯のみ前記時報動作を停止する時間帯停止手段とを備え、
更に、前記時報動作が通常に行われる第１形態、前記時報動作が停止された第２形態、及び前記所定の時間帯における前記時報動作が停止された第３形態を任意設定可能に切替える切替え手段を備え、
前記停止手段及び前記時間帯停止手段は、２４時間で１回転する２４時間車と、前記２４時間車に係合する鳴止めレバーとを備え、
前記時報動作は、前記鳴止めレバーが前記２４時間車の回転に連動して停止されることを特徴とする時計装置。
【請求項２】
前記鳴止めレバーは、前記切替え手段による切替えに伴って、前記２４時間車に対し、係合及び係合解除されることを特徴とする請求項１記載の時計装置。
【発明の詳細な説明】
【０００１】
【発明が属する技術分野】
本発明は、数取り時報動作を行う機械式の時計装置に関し、複数の時報動作の形態を任意設定可能に構成したものである。
【０００２】
【従来の技術】
一般に、正時に鈴体を数打ちして時刻を知らせる時計が広く知られている。数打ちによれば、鈴体の鳴る回数により、時刻を把握することができる。
【０００３】
更に、１日を通じて時報動作を行うと、鈴体の音が睡眠の妨げになる場合があることから、夜間の時報動作を停止するものも提案されている。
【０００４】
例えば、光センサにより明暗を検出して、暗くなれば報時を停止する電子制御式の時計装置がある。
【０００５】
また、所定の時間帯における時報動作を停止する機能は、ギアやカム等の部品を用いて構成することも可能である。例えば、本願出願人が提案した実公昭６１−４６４７５号には、時報動作の形態を２種類設定し、使用者の好みに応じて選択可能とした機械式の時計装置が記載されている。
【０００６】
【発明が解決しようとする課題】
ところで、前述した時報動作の形態について、電子制御式の場合は、制御の手法により比較的容易に多様化することが可能である。この点、ギアやカム等の部品を用いて構成された機械式の場合は、時報動作の形態を多様化しようとすると、部品点数の増加や構成の複雑化を招くという不利がある。
【０００７】
但し、機械式の時計装置には、ギアやカムが織り成す動きや音、手に取った際の重量感等、電子制御式の時計装置にはない面白味があり、現在では、電子制御式の時計装置が主流となる一方で、優れた機械式の時計装置を望む声も高まっている。
【０００８】
本発明は、こうした事情に鑑みてなされたものであり、より実用的な機械式の時計装置を提供することを目的としている。
【０００９】
【課題を解決するための手段】
本願第１請求項に記載した発明は、数取カムとクシバとの係合状態により数取カマがクシバにおける所定のラック歯と噛合して数打ち時報動作が行われる時計装置において、当該時計装置は、前記時報動作を停止する停止手段と、所定の時間帯のみ前記時報動作を停止する時間帯停止手段とを備え、更に、前記時報動作が通常に行われる第１形態、前記時報動作が停止された第２形態、及び前記所定の時間帯における前記時報動作が停止された第３形態を任意設定可能に切替える切替え手段を備え、前記停止手段及び前記時間帯停止手段は、２４時間で１回転する２４時間車と、前記２４時間車に係合する鳴止めレバーとを備え、前記時報動作は、前記鳴止めレバーが前記２４時間車の回転に連動して停止される構成の時計装置であり、このような構成によると、場合に応じて第１形態、第２形態、及び第３形態を切替えることにより、より実用的な使用が可能となる。すなわち、使用者の好みで時報動作を完全に停止したり、所定の時間帯における時報動作のみを停止したりすることが可能である。また、時報動作が停止される所定の時間帯は、２４時間周期で設定することが可能であり、従って、夜間のみ時報動作を停止させることも可能である。
【００１２】
本願第２請求項に記載した発明は、請求項１において、前記鳴止めレバーは、前記切替え手段による切替えに伴って、前記２４時間車に対し係合及び係合解除される時計装置であり、このような構成によると、切替え手段を簡易に構成することが可能である。
【００１３】
【発明の実施の形態】
以下に、本発明の具体例を図面に基いて詳細に説明する。
【００１４】
図１乃至図７に示すように、本例の時計装置１は、数取カム２とクシバ３との係合状態により数取カマ４がクシバ３における所定のラック歯３ａと噛合して数打ち時報動作が行われるように構成している。
【００１５】
また、本時計装置１は、時報動作を停止する停止手段と、所定の時間帯のみ時報動作を停止する時間帯停止手段とを備えたものである。
【００１６】
その動作について、時報動作が通常に行われる状態は第１形態（図１参照）、停止手段により時報動作が停止された状態は第２形態（図２参照）、時間帯停止手段により所定の時間帯における時報動作が停止された状態は第３形態（図３参照）となっている。
【００１７】
本時計装置１は、鈴体２１０を衝打する撞木２２０をゼンマイ２３０の力で駆動する打鈴機構２００を備えたものであり、正時及び半時になるとゼンマイ２３０の力が解放されて撞木２２０が鈴体２１０を衝打する構成となっている。このとき、鈴体２１０の衝打数は、ラック歯３ａと数取カマ４の噛合状態により設定される。打鈴機構２００は、かかる時計装置１の支持体１００の背部に設けられている。
【００１８】
数取カム２は、時計の時針車と同期回転するカム体であり、その全周には１２段の段差が設けられている。
【００１９】
クシバ３は、数取カマ４と噛合する所定数のラック歯３ａ及び数取カム２と係合する突片３ｂを有する部材であり、その基端を支持体１００に枢支され、自重で数取カム２に向かって付勢されている。
【００２０】
数取カマ４は、クシバ３を係止する突片４ａを有する部材であり、その基端を支持体１００に枢支されるとともに、バネ４ｂによって所定の方向に付勢されている。そして、分針カム５によって操作される上げカム６により、バネ４ｂによる付勢方向とは反対方向に押し上げられ、突片４ａがラック歯３ａと噛合する。
【００２１】
分針カム５は、時計の分針車と同期回転し、正時及び半時に対応する段差を設けたカム体であり、正時及び半時になると上げカム６を落下させるものである。
【００２２】
上げカム６は、数取カマ４と当接する突片６ａを有する部材であり、その基端を支持体１００に枢支され、分針カム５に摺動するよう、自重によって付勢されている。
【００２３】
数取カマ４及び上げカム６には、打鈴機構２００のゼンマイ２３０の解放を停止するストッパー４ｂ，６ｂをそれぞれ設けている。
【００２４】
打鈴機構２００は、ゼンマイ２３０と撞木２２０との間にギア２４０及び風切車２５０を設けてなるものであり、各ストッパー４ｂ，６ｂは、ギア２４０に設けたピン２４１と当接し、ゼンマイ２３０の解放、すなわち撞木２２０による鈴体２１０の衝打を抑制する構成となっている。支持体１００には、各ストッパー４ｂ，６ｂを貫通する穴部１１０を設けている。
【００２５】
また、図中の７は、打鈴機構２００と連動した送りカムであり、かかる送りカム７は、ラック歯３ａに係止されるピン７ａを備え、打鈴機構２００による鈴体２１０の衝打とともに回転し、ピン７ａが、鈴体２１０が１回衝打される毎にラック歯３ａを自重とは反対方向へ１つずつ送る構成となっている。
【００２６】
先ず、打鈴機構２００のギア２４０に設けられたピン２４１は、正時前には数取カマ４のストッパー４ｂに当接しており、正時直前になると、上げカム６で数取カマ４が押し上げられて、そのストッパー４ｂから外脱する。すると、打鈴機構２００のギア２４０が僅かに回転し、そのピン２４１は、上げカム６のストッパー６ｂに当接する（図４及び図５参照）。また、数取カマ４に係止されていたクシバ３は、上げカム６で数取カマ４が押し上げられて、その突片４ａから外脱し、数取カム２の時刻に対応した段に係合する。
【００２７】
次に、正時になると、上げカム６が落下することにより、上げカム６のストッパー６ｂに当接していたピン２４１が外脱し（図６参照）、ゼンマイ２３０が解放され打鈴機構２００による数打ち時報動作がなされる。
【００２８】
そして、鈴体２１０が１回衝打される毎にラック歯３ａが自重とは反対方向へ１つずつ送られ、数取カマ４が噛合したラック歯３ａを全て送りきると、クシバ３及び数取カマ４が所定の位置に復帰し、数取カマ４のストッパー４ｂには、打鈴機構２００のギア２４０に設けられたピン２４１が当接する。このようにピン２４１が当接したところで、数打ち時報動作が終了する。
【００２９】
一方、半時の場合では、打鈴機構２００による時報動作は常に１回なされる構成となっている。つまり、打鈴機構２００のギア２４０に設けられたピン２４１が数取カマ４のストッパー４ｂ及び上げカム６のストッパー６ｂから外脱するものの、分針カム５による上げカム６の落下幅、並びに数取カマ４の押し上げ量が正時の場合よりも小さいため、ラック歯３ａと数取カマ４との噛合がなされない。その結果、鈴体の衝打数は常に１回となる。
【００３０】
そして、前述した第１形態、第２形態、及び第３形態は、切替手段により任意設定可能に構成されている。
【００３１】
本例の停止手段及び時間帯停止手段は、２４時間で１回転する２４時間車８と、この２４時間車８に係合する鳴止めレバー１０とを備えたものであり、支持体１００の穴部１１０に貫通された鳴止めレバー１０の先端部１０ｂが、打鈴機構２００の風切車２５０と当接し、その回転を抑制することにより、時報動作を停止するように構成したものである。また、かかる切替は、切替レバー１１を操作してなされる。
【００３２】
すなわち、停止手段は鳴止めレバー１０の先端部１０ｂを風切車２５０と当接する構成のものであり、更に、時間帯停止手段は２４時間車８にこの鳴止めレバー１０を係合してなる構成のものである。
【００３３】
２４時間車８は、時計の時針車の回転を２分の１に減速する中間歯車９に噛合され、時針車が２回転するとともに１回転する。
【００３４】
鳴止めレバー１０は、２４時間車８の軸部及び中間歯車９の軸部に遊嵌された部材である。また、各軸部の間を板バネ１２によって２４時間車８側に付勢され、２４時間車８に対して係合及び係合解除される構成となっている。
【００３５】
２４時間車８には、所定の時間帯に対応する溝部８ａを設けており、鳴止めレバー１０には、溝部８ａに駐止される突部１０ａを設けている。
【００３６】
鳴止めレバー１０の突部１０ａは、２４時間車８の回転に伴い、２４時間車８の溝部８ａに対して駐止及び外脱される。鳴止めレバー１０の突部１０ａが溝部８ａに駐止された際、鳴止めレバー１０は、その先端部１０ｂが風切車２５０に当接する位置へともたらされる。また、鳴止めレバー１０の突部１０ａが溝部８ａから外脱された際、鳴止めレバー１０は、その先端部１０ｂが風切車２５０から離れる位置へもたらされる。
【００３７】
切替手段をなす切替レバー１１は、その基端を支持体１００に枢支された部材であり、２４時間車８と鳴止めレバー１０との間に介在される構成となっている。
【００３８】
また、切替レバー１１は、第１形態、第２形態、及び第３形態にそれぞれ対応する第１停止位置、第２停止位置、及び第３停止位置を有する。尚、各停止位置における位置決めは、切替レバー１１に設けられた穴部１１ａ及び板バネ１２に設けられた突部１２ａによってなされる。
【００３９】
前述した板バネ１２は、支持体１００に設けられた切替レバー１１の支柱１１ｃにネジ止めされており、切替レバー１１は、支柱１１ｃ及び板バネ１２に対して回転する（図７参照）。
【００４０】
第１停止位置において切替レバー１１は、２４時間車８と鳴止めレバー１０との間に介在され、２４時間車８と鳴止めレバー１０との係合は解除されている。その結果、鳴止めレバー１０の先端部１０ｂは風切車２５０に当接することはなく、時報動作は通常に行われる。
【００４１】
第２停止位置において切替レバー１１は、２４時間車８と鳴止めレバー１０との間に突部１１ｂを押し入れることにより、２４時間車８に対して鳴止めレバー１０を傾斜させる。その結果、鳴止めレバー１０の先端部１０ｂは風切車２５０に常に当接し、時報動作は常に停止される。
【００４２】
第３停止位置において切替レバー１１は、２４時間車８と鳴止めレバー１０との間から離脱し、２４時間車８と鳴止めレバー１０とを係合させる。その結果、鳴止めレバー１０の先端部１０ｂは、２４時間車８の溝部８ａ及び鳴止めレバー１０の突部１０ａに応じ、風切車２５０に対して所定の時間帯のみ当接する。その結果、時報動作は所定の時間帯のみ停止される。しかるに、時報動作は、鳴止めレバー１０が２４時間車８の回転に連動して停止される。
【００４３】
尚、鳴止めレバー１０には、第２形態及び第３形態において、クシバ３の突片３ｂに当接する突片１０ｃを設けている。つまり、これらの突片３ｂ，１０ｃ同士を当接させることにより、クシバ３が不要に落ち込むのを防止して、時報動作の停止を解除した後の数打ち回数に狂いが生じるのを回避している。
【００４４】
このような本例の構成によれば、当該時計装置１の使用者は、切替レバー１１を切替えることにより、第１形態、第２形態、及び第３形態を択一的に選択することができる。
【００４５】
尚、本例では、ゼンマイ２３０駆動の打鈴機構２００を用いたが、或いは、モータ駆動のものを用いてもよい。この場合、鳴止めレバー１０の先端部８ｂは、モータの駆動スイッチを操作する構成とする。
【００４６】
このように本例の時計装置によると、時報動作を停止する停止手段と、所定の時間帯のみ時報動作を停止する時間帯停止手段とを備え、更に、時報動作が通常に行われる第１形態、時報動作が停止された第２形態、及び所定の時間帯における時報動作が停止された第３形態を任意設定可能に切替える切替え手段を備えたので、場合に応じて第１形態、第２形態、及び第３形態を切替えることができ、使用者の好みで時報動作を完全に停止したり、所定の時間帯における時報動作のみを停止したりすることができる。
【００４７】
また、本例の時計装置によると、停止手段及び時間帯停止手段は、２４時間で１回転する２４時間車と、２４時間車に係合する鳴止めレバーとを備え、時報動作は、鳴止めレバーが２４時間車の回転に連動して停止されるので、時報動作が停止される所定の時間帯は、２４時間周期で設定することができ、夜間のみ時報動作を停止させることができる。
【００４８】
また、鳴止めレバーは、切替え手段による切替えに伴って、２４時間車に対し係合及び係合解除されるものであり、切替え手段は簡易に構成することができる。
【００４９】
【発明の効果】
以上説明したように、本発明の時計装置は、機械式のものであって、時報動作の形態については、時報動作が通常に行われる第１形態、時報動作が停止された第２形態、及び所定の時間帯における時報動作が停止された第３形態がある。そして、これらの第１形態、第２形態、及び第３形態は、切替え手段にて任意に切替えることができる。すなわち、使用者の好みで時報動作を完全に停止したり、所定の時間帯における時報動作のみを停止したりすることが可能である。従って、本発明の時計装置は、より実用的に使用することができる。また、時報動作が停止される所定の時間帯は、２４時間周期で設定することが可能であり、従って、夜間のみ時報動作を停止させることも可能である。
【図面の簡単な説明】
【図１】  本願発明の具体例に係り、第１形態における時計装置を示す斜視図である。
【図２】  本願発明の具体例に係り、第２形態における時計装置を示す斜視図である。
【図３】  本願発明の具体例に係り、第３形態における時計装置を示す斜視図である。
【図４】  本願発明の具体例に係り、時計装置の一部を示す斜視図である。
【図５】  本願発明の具体例に係り、時計装置の一部を示す斜視図である。
【図６】  本願発明の具体例に係り、時計装置の一部を示す斜視図である。
【図７】  本願発明の具体例に係り、時計装置の要部を示す側面断面図である。
【符号の説明】
１      時計装置
２      数取カム
３      クシバ
３ａ      ラック歯
３ｂ      突片
４      数取カマ
４ａ      突片
４ｂ      ストッパー
５      分針カム
６      上げカム
６ａ      突片
６ｂ      ストッパー
７      送りカム
７ａ      ピン
８      ２４時間車
８ａ      溝部
９      中間歯車
１０      鳴止めレバー
１０ａ      突部
１０ｂ      先端部
１０ｃ      突片
１１      切替レバー
１１ａ      穴部
１１ｂ      突部
１１ｃ      支柱
１２      板バネ
１２ａ      突部
１００      支持体
１１０      穴部
２００      打鈴機構
２１０      鈴体
２２０      撞木
２３０      ゼンマイ
２４０      ギア
２４１      ピン
２５０      風切車
【図１】
0003648148.tif 000002
【図２】
0003648148.tif 000003
【図３】
0003648148.tif 000004
【図４】
0003648148.tif 000005
【図５】
0003648148.tif 000006
【図６】
0003648148.tif 000007
【図７】
0003648148.tif 000008